(57)【要約】【課題】補助具の機能を必要時にのみ発揮できるように構成することで、余分な操作を無くして操作性を高めることができ、書類の抜き差し作業も円滑に行うことができる綴じ具及びそれを備えたファイリング用具を提供すること。【解決手段】綴じ穴Ｓ１付きの紙葉類Ｓを抜き差し可能に綴じ込む綴じ具であり、ベースプレート２１の一側に起立状態で配置された第１綴じ板３と、ベースプレートの他側にヒンジ結合され、自由端が第１綴じ板から離間する方向へ回動可能に配置された第２綴じ板５と、第２綴じ板から第１綴じ板へ向かって延び、紙葉類の綴じ穴を貫通可能な綴じパイプ６と、第１綴じ板に設けられ、綴じパイプの先端部が離脱可能に係合される係合部材７と、第１綴じ板又は第２綴じ板の何れかに着脱可能に装着される補助具９とを備える。補助具は、綴じパイプに対して自身の一端側から挿入可能なロッド部分９１と、そのロッド部分の他端側に設けられた紙葉類用抜け止め部９２とを有している。【選択図】図２
2007203518.tif 000002
【特許請求の範囲】
【請求項１】
綴じ穴付きの紙葉類を抜き差し可能に綴じ込む綴じ具であって、
ベースプレートの一側に配置された第１綴じ板と、
ベースプレートの他側にヒンジ結合され、自由端が前記第１綴じ板から離間する方向へ回動可能に配置された第２綴じ板と、
前記第２綴じ板から第１綴じ板へ向かって延び、前記紙葉類の綴じ穴を貫通可能な綴じパイプと、
前記第１綴じ板に設けられ、前記綴じパイプの先端部が係合される係合部材と、
前記第１綴じ板又は第２綴じ板の何れかに着脱可能に装着される補助具とを備え、
前記補助具は、前記綴じパイプに対して一端側からそれぞれ挿入可能なロッド部分と、そのロッド部分の他端側に設けられた紙葉類用抜け止め部とを有している、綴じ具。
【請求項２】
前記第２綴じ板の綴じパイプは、その第２綴じ板の長手方向に間隔をおいて一対配置され、前記補助具は、前記各綴じパイプにそれぞれ挿入可能なロッド部分を一対備え、各ロッド部分の他端側は、連結プレートにより連結されている、請求項１に記載の綴じ具。
【請求項３】
前記第２綴じ板の外面側には、前記補助具のロッド部分をその第２綴じ板の外面側から綴じパイプ内に挿入するための開口と、前記連結プレートを収容する収容凹部とが形成されている、請求項１又は２に記載の綴じ具。
【請求項４】
前記係合部材には、前記綴じパイプの先端を係合させる係合孔が設けられ、その係合孔を介して前記補助具のロッド部分を第１綴じ板の外面側から綴じパイプ内に挿入可能である、請求項１〜３の何れかに記載の綴じ具。
【請求項５】
請求項１〜請求項４の何れかに記載の綴じ具を、表紙体の背表紙の内面側に装備したファイリング用具。
【発明の詳細な説明】
【技術分野】
【０００１】
本発明は、綴じ穴付きの書類やシート等の紙葉類を綴じ込むための綴じ具及びそれを備えたファイリング用具の技術に関する。
【背景技術】
【０００２】
ファイリング用具おいては、表紙体の背表紙の内面側に、綴じ具が固定されている。この綴じ具としては、従来から種々のタイプのものが知られている。中でも、多数枚の書類等を綴じ込むことができる厚手のファイリング用具では、例えば、ベースプレートと、このベースプレートの左右両側に配置された一対の綴じ板と、この綴じ板間に差し渡される綴じ棒とを備える綴じ具が広く採用されている。
【０００３】
特許文献１には、この種の綴じ具を備えたファイリング用具の技術が記載されている。このファイリング用具は、図８及び図９に示すように、表紙体１００と、表紙体１００の背表紙１０１の内面側にリベット（図示せず）等により固定された綴じ具２００とを備えている。
【０００４】
綴じ具２００は、背表紙１０１に固定される長方形状のベースプレート２０１と、このベースプレート２０１の幅方向一側（図中左側）に起立状態で配置された保持板２０２と、この保持板２０２の内面側に着脱可能に装着される第１綴じ板２０３と、ベースプレート２０１の幅方向他側（図中右側）にヒンジ結合されて配置された第２綴じ板２０４とを備えている。
【０００５】
第２綴じ板２０４には、その内面から突出し第１綴じ板２０３へ向かって互いに平行に延びる一対の綴じパイプ２０５が設けられている。第１綴じ板２０３には、その内面から突出し綴じパイプ２０５内にそれぞれ挿入される一対の綴じロッド２０６が設けられている。従って、この特許文献１に記載の綴じ具２００では、綴じパイプ２０５と綴じロッド２０６とにより、書類の綴じ穴を貫通する綴じ棒が構成されている。
【特許文献１】特開２００３−２８５５８７号公報
【発明の開示】
【発明が解決しようとする課題】
【０００６】
このような構成の綴じ棒を有する綴じ具では、書類を抜き差しする際に、綴じパイプ２０５側及び綴じロッド２０６側の何れにも書類を一定量まとめて保持させておくことができるものの、書類を重ねて綴じパイプ２０５に追加挿入する度に綴じロッド２０６を第１綴じ板２０３から外す必要がある。
【０００７】
一方、この綴じロッド２０６を設けていない既存の綴じ具（パイプ式でない綴じ具）では、綴じロッド２０６を綴じパイプ２０５内に挿入したり、抜き出したりする操作が不要になるため、その分、操作性は良い。
【０００８】
しかし、綴じロッド２０６には、例えば中間に綴じ込んだ書類を抜き差しする際に、抜き差しする書類を中心に区分けされる上下の書類がばらけないように綴じロッド側でもまとめて保持可能にする利点があり、綴じロッドがない綴じ具では、綴じロッドを備えた綴じ具よりも書類を円滑に差し替えできない欠点がある。
【０００９】
よって、本発明の課題は、補助具を用いて綴じロッドの機能を必要時にのみ発揮できるように構成することで、余分な操作を無くして操作性を高めることができ、しかも、書類
の抜き差し作業も円滑に行うことができる綴じ具及びそれを備えたファイリング用具の技術を提供することにある。
【課題を解決するための手段】
【００１０】
前記課題を解決するため、本発明では以下の手段を採用した。
本発明は、綴じ穴付きの紙葉類を抜き差し可能に綴じ込む綴じ具であって、ベースプレートの一側に配置された第１綴じ板と、ベースプレートの他側にヒンジ結合され、自由端が第１綴じ板から離間する方向へ回動可能に配置された第２綴じ板と、第２綴じ板から第１綴じ板へ向かって延び、紙葉類の綴じ穴を貫通可能な綴じパイプと、第１綴じ板に設けられ、綴じパイプの先端部が離脱可能に係合される係合部材と、第１綴じ板又は第２綴じ板の何れかに着脱可能に装着される補助具とを備え、その補助具は、綴じパイプに対して一端側から挿入可能なロッド部分と、そのロッド部分の他端側に設けられた紙葉類用抜け止め部とを有している。
【００１１】
本発明によれば、第２綴じ板から第１綴じ板へ向かって延び、紙葉類の綴じ穴を貫通可能な綴じパイプに紙葉類がまとめて保持される構成となる。綴じパイプの先端部は係合部材に対して離脱可能に係合される。従って、紙葉類の抜き差し時には、綴じパイプの先端部を係合部材から離脱させる操作を行うだけで、紙葉類の抜き差し作業を行うことができる。この場合、最初に綴じる紙葉類や一番上の紙葉類から抜き差しする作業を行うときには、そのまま実施することができる。
【００１２】
また、第１綴じ板、第２綴じ板の何れかに着脱可能に装着される補助具は、綴じパイプに対して挿入可能なロッド部分と紙葉類抜け止め部とを有している。従って、例えば重ねられた紙葉類の中間部分で紙葉類を抜き差しする場合、綴じパイプの先端部を係合部材から離脱させた後、補助具を利用して、そのロッド部分を綴じパイプの先端部から挿入すれば、ロッド部分が綴じパイプに接続された形態となるので、このロッド部分にも紙葉類を移動させておくことが可能になる。ロッド部分の他端には紙葉類抜け止め部があるので、紙葉類が抜け落ちることはない。これにより、紙葉類を円滑に抜き差しすることができる。
【００１３】
このように別部材としての補助具を用いて、従来の綴じロッドの機能を必要時にのみ発揮できるように構成することで、紙葉類の抜き差し時に余分な操作を無くして操作性を高めることができ、しかも、紙葉類の抜き差し作業も円滑に行うことができる。
【００１４】
本発明において、前記第２綴じ板の綴じパイプは、その第２綴じ板の長手方向に間隔をおいて一対配置され、前記補助具は、前記各綴じパイプにそれぞれ挿入可能なロッド部分を一対備え、各ロッド部分の他端側は、連結プレートにより連結されていることが望ましい。補助具のロッド部分は一つでも機能するが、一対とした場合、一対のロッド部分と連結プレートとが一体化し、連結プレートから一対のロッド部分が突出する形態となる。従って、この補助具の連結プレートと第２綴じ板とによって紙葉類を両側から挟み付けたり、連結プレート側に紙葉類を移動させたりする際により安定な状態で操作することができる。多くの場合、この種の綴じ具は綴じ穴が２つ、あるいそれ以上ある紙葉類を綴じるのに用いられるので、補助具のロッド部分も一対ある方が望ましい。
【００１５】
本発明において、前記第２綴じ板の外面側には、前記補助具のロッド部分をその第２綴じ板の外面側から綴じパイプ内に挿入するための開口と、前記連結プレートを収容する収容凹部とが形成されていることが望ましい。このように構成した場合、補助具のロッド部分を綴じパイプ内に収納し、補助具の連結プレートを第２綴じ板の外面側の収容凹部に収納した状態で、その補助具を綴じ具に装着しておくことができる。これにより、補助具を紛失したり、綴じ具の使用時に補助具が邪魔にならないように配慮しておくことができる
。
【００１６】
本発明において、前記係合部材は、前記第１綴じ板の外面側に配置され、第１綴じ板にヒンジ結合されてその自由端が第１綴じ板から離間する方向に回動可能であることが望ましい。このようにすれば、綴じパイプの先端を係合部材に係合させる操作や離脱させる操作を円滑に行える構成とすることができる。
【００１７】
本発明において、前記係合部材には、前記綴じパイプの先端を係合させる係合孔が設けられ、その係合孔を介して前記補助具のロッド部分を第１綴じ板の外面側から綴じパイプ内に挿入可能な構成とすることが望ましい。このように構成すれば、補助具を使用しないときには、補助具のロッド部分を係合孔から綴じパイプ内に挿入して、その補助具を第１綴じ板側に装着しておくことができる。しかも、この状態では、補助具のロッド部分が係合部材の係合孔を貫通して綴じパイプ内に進入しているため、係合部材を解除操作しても綴じパイプは開放状態に移行することができず、いわゆるロック状態に保持される。即ち、補助具に対して綴じ具のロック機能を持たせることができる。この機能は紙葉類を綴じた状態での運搬時などに有効に機能する。
【００１８】
ここで、以上のような構成の綴じ具は、表紙体の背表紙の内面側に装備してファイリング用具として構成することが大変好適である。
【発明の効果】
【００１９】
本発明によれば、綴じ棒に代えた補助具の機能を必要時にのみ発揮できるように構成することで、余分な操作を無くして操作性を高めることができ、しかも、書類の一定量をまとめて補助具側に移動させることができるので、書類の抜き差し作業も円滑に行うことができる綴じ具及びそれを備えたファイリング用具を得ることができる。
【発明を実施するための最良の形態】
【００２０】
以下、本発明の好適な実施の形態について、図面を参照して説明する。
図１は、本発明の実施形態に係る綴じ具を備えたファイリング用具の斜視図である。図２は綴じ具の斜視図である。図３（ａ）、（ｂ）、（ｃ）は綴じ具の右側面図、平面図、左側面図である。図４は綴じ具の断面図である。図５（ａ）、（ｂ）は補助具の斜視図である。図６は綴じ具と補助具の関係を説明する展開斜視図である。図７は補助具のロック機能を説明する斜視図である。
【００２１】
（実施形態）
この実施形態のファイリング用具Ｆは、表紙体１の背表紙１１の内面側に金属製の綴じ具２を備えている。表紙体１は厚紙や合成樹脂製シート等により形成されている。綴じ具２は、その基板（ベースプレート）２１部分が背表紙１１に対してリベット等により取り付けられている。
【００２２】
綴じ具２は、図６に示すような綴じ穴Ｓ１付きの紙葉類Ｓを抜き差し可能に綴じ込むものであって、ベースプレート２１の一側に起立状態で配置された第１綴じ板３と、ベースプレート２１の他側にヒンジ４を介して結合され、自由端（上端側）が第１綴じ板３から離間する方向へ回動可能に配置された第２綴じ板５と、第２綴じ板５から第１綴じ板３へ向かって延び、紙葉類Ｓの綴じ穴Ｓ１を貫通可能な綴じパイプ６と、第１綴じ板３に設けられ、綴じパイプ５の先端部が離脱可能に係合される係合部材７と、第１綴じ板３又は第２綴じ板５の何れかに着脱可能に装着される補助具９とを備えている。
【００２３】
次いで、これらの詳細について説明する。ベースプレート２１は金属板の加工により形成され、その中央部には背表紙１１に設けられた円形孔（図示せず）に嵌り込む位置決め
用の円形凹部２２が設けられている。ベースプレート２１の四隅近くには、ベースプレート２１を背表紙１１にリベット等で固定する固定穴２３がそれぞれ設けられている。
【００２４】
第１綴じ板３はベースプレート２１から立ち上がるように曲げ加工されて形成されている。第２綴じ板５は別部材として形成され、ベースプレート２１に対してヒンジ４を介して結合されている。ヒンジ４のヒンジピン４１には、第２綴じ板５を開く方向（図６参照）に附勢するコイルバネ４２が装着されている。
【００２５】
第２綴じ板５の綴じパイプ６は、その第２綴じ板５の長手方向に間隔をおいて一対設けられている。この一対の綴じパイプ６、６は、第２綴じ板５の内面側から第１綴じ板３へ向かって互いに平行に延びている。係合部材７はプレート状であって、第１綴じ板３に対してヒンジ８（図４参照）を介して結合されている。これにより、係合部材７は、その自由端（上端）が第１綴じ板３の外面側から外側へ離間する方向に回動可能に構成されている。ヒンジ８のヒンジピン８１には、係合部材７の自由端が第１綴じ板３側へ回動するように附勢するコイルバネ８２が装着されている。
【００２６】
係合部材７には、綴じパイプ６、６の先端を係合させる係合孔７１、７１が設けられている。綴じパイプの６、６の先端には斜面部分６１、６１が形成されていて、綴じパイプ６を綴じるときにはこの斜面部分６１で係合部材７の自由端を外側へ押すことができるように設定されている。これにより、綴じパイプ６の先端を係合孔７１に係合させることができ、係合部材７の自由端を外側へ回動操作することで、綴じパイプ６の係合状態を解除することができるように配慮されている。
【００２７】
なお、第１綴じ板３の上端には、図２に示すように、綴じパイプ６との干渉をなくすＵ形状切り欠き３１と、係合部材７の上縁を指で操作し易くするための円弧状凹部３２とが形成されている。
【００２８】
補助具９は、綴じパイプ６に対して一端側から挿入可能なロッド部分９１と、そのロッド部分９１の他端側に設けられた紙葉類用抜け止め部９２とを有している。即ち、図示例の補助具９は、全体が合成樹脂製であって、各綴じパイプ６、６にそれぞれ挿入可能なロッド部分９１を一対備えている。そして、各ロッド部分９１、９１の他端側は、紙葉類用抜け止め部を形成する連結プレート９２により連結されている。
【００２９】
各ロッド部分９１は綴じパイプ６の内径よりも小さくかつ、綴じパイプの長さよりも僅かに短く形成されている。これにより、補助具９はそのロッド部分９１を綴じパイプ６内に挿入可能に構成されている。
【００３０】
第２綴じ板５の外面側には、補助具９のロッド部分９１をその第２綴じ板５の外面側から綴じパイプ６内に挿入するための開口５１と、連結プレート９２を収容する収容凹部５２とが形成されている。収容凹部５２は第２綴じ板５の外面のほぼ全体に形成されていて、連結プレート９２全体がこの収容凹部５２内に収容されるように配慮されている。なお、連結プレート９２の上縁には、収容状態の連結プレート９２を摘み易くするための凹面９３が形成されている。
【００３１】
また、係合部材７にも係合孔７１、７１が設けられているため、その係合孔７１、７１を介して補助具９のロッド部分９１、９１を第１綴じ板３の外面側から綴じパイプ６、６内に挿入可能に構成されている。
【００３２】
この実施形態によれば、第２綴じ板５から第１綴じ板３へ向かって延びる綴じパイプ６に紙葉類Ｓがまとめて保持される。綴じパイプ６の先端部は係合部材７に対して離脱可能
に係合されるので、紙葉類Ｓの抜き差し時には、綴じパイプ６の先端部を係合部材７から離脱させる操作を行うだけで、紙葉類Ｓの抜き差し作業を行うことができる。
【００３３】
また、第１綴じ板３、第２綴じ板５の何れかに着脱可能に装着される補助具９は、綴じパイプ６に対して挿入可能なロッド部分９１と紙葉類抜け止め部としての連結プレート９２とを有している。従って、例えば重ねられた紙葉類の中間部分で紙葉類Ｓを抜き差しする場合、綴じパイプ６の先端部を係合部材７の係合孔７１から離脱させた後、補助具９を利用して、そのロッド部分９１を綴じパイプ６の先端部から挿入すれば、ロッド部分９１が綴じパイプ６に接続された形態となるので、図６に示すようにこのロッド部分９１にも紙葉類Ｓを移動させておくことが可能になる。ロッド部分９１の他端には連結プレート９２があるので、紙葉類Ｓが抜け落ちることはない。これにより、紙葉類Ｓを円滑に抜き差しすることができる。
【００３４】
また、補助具９を使用しないときには、補助具９のロッド部分９１を綴じパイプ６内に収納し、補助具９の連結プレート９２を第２綴じ板５の外面側の収容凹部５２に収納した状態で、その補助具９を綴じ具２に装着しておくことができる。これにより、補助具９を紛失したり、綴じ具２の使用時に補助具９が邪魔にならないように配慮しておくことができる。しかも、このように補助具９を綴じ具２に装着しても、綴じ具２の機能には全く影響を及ぼさない構成とすることができる。
【００３５】
さらに、係合部材７には、綴じパイプ６の先端を係合させる係合孔７１が設けられ、その係合孔７１を介して補助具９のロッド部分９１を第１綴じ板３の外面側から綴じパイプ６内に挿入可能である。従って、補助具９を使用しないときには、図７に示すように、補助具９のロッド部分９１を係合孔７１から綴じパイプ６内に挿入して、その補助具９を第１綴じ板３側に装着しておくこともできる。この状態では、補助具９のロッド部分９１が係合部材７の係合孔７１を貫通して綴じパイプ９内に進入しているため、係合部材７を解除操作しても綴じパイプ６は開放状態に移行することができず、いわゆるロック状態に保持される。即ち、この場合、補助具９に対して綴じ具２のロック機能を持たせることができる。
【図面の簡単な説明】
【００３６】
【図１】本発明の実施形態に係る綴じ具を備えたファイリング用具の斜視図。
【図２】本発明の実施形態に係る綴じ具の斜視図。
【図３】本発明の実施形態に係る綴じ具を示すもので、（ａ）右側面図、（ｂ）は平面図、（ｃ）は左側面図。
【図４】本発明の実施形態に係る綴じ具の断面図。
【図５】本発明の実施形態に係る補助具の斜視図。
【図６】本発明の実施形態に係る綴じ具の展開斜視図。
【図７】本発明の実施形態に係る綴じ具と補助具の関係を示す斜視図。
【図８】綴じ具の従来例を示す斜視図。
【図９】綴じ具従来例を示す分解斜視図。
【符号の説明】
【００３７】
１  表紙体
１１  背表紙
２  綴じ具
２１  ベースプレート
３  第１綴じ板
４  ヒンジ
５  第２綴じ板
５１  開口
５２  収容凹部
６  綴じパイプ
７  係合部材
７１  係合孔
８  ヒンジ
９  補助具
９１  ロッド部分
９２  紙葉類抜け止め部
Ｓ  紙葉類
【図１】
2007203518.tif 000003
【図２】
2007203518.tif 000004
【図３】
2007203518.tif 000005
【図４】
2007203518.tif 000006
【図５】
2007203518.tif 000007
【図６】
2007203518.tif 000008
【図７】
2007203518.tif 000009
【図８】
2007203518.tif 000010
【図９】
2007203518.tif 000011